(57)【要約】      （修正有）【課題】釣りあげた魚の口に掛った釣針を魚体に触れることなく、安全で迅速、且つ容易に確実に、外すことができる釣針外し具を提供する。【解決手段】棒状の把手４を備え、この把手４の長軸方向と角度をもって支持体を突出して設け、この支持体の先端側には釣針および釣糸を掛けることが可能な凹部を有する糸掛け１を設け、かつ、この糸掛け１の凹部１ｃの開放側は支持体の先端方向を向いており、さらに、把手４に釣針及び釣糸を掛けることが可能な凹部を有する針掛け２を設け、かつ、この針掛け２の凹部の開放側は、糸掛け１の凹部の開放側方向と反対側方向をむいており、さらに、糸掛け１の、支持体との取付け部の反対側端部と、針掛けの、把手４との取付け部の反対側端部と、を連結する糸ガード５を設け、さらに、把手４に糸案内３と糸止め７を設けていることを特徴とする。【選択図】図１
2014117250.tif 000002
【特許請求の範囲】
【請求項１】
棒状の把手を備え、この把手の長軸方向と角度をもって支持体を突出して設け、この支持体の先端側には釣針および釣糸を掛けることが可能な凹部を有する糸掛けを設け、かつ、この糸掛けの凹部の開放側は前記支持体の先端方向を向いており、さらに、前記把手に釣針及び釣糸を掛けることが可能な凹部を有する針掛けを設け、かつ、この針掛けの凹部の開放側は、前記糸掛けの凹部の開放側方向と反対側方向を向いて設けられているものであって、さらに、前記糸掛けの、凹部の端部と、前記針掛けの、凹部の端部と、を連結する糸ガードを設けていることを特徴とする釣針外し具。
【請求項２】
前記把手に釣糸を掛けることが可能な糸案内を設けることを特徴とする請求項１記載の釣針外し具。
【請求項３】
前記把手に釣糸を固定することが可能な糸止めを設けることを特徴とする請求項１または２記載の釣針外し具。
【請求項４】
請求項１に記載の釣針外し具において、前記糸掛け、前記針掛け、前記支持体、前記糸ガード、請求項２に記載の釣針外し具において、前記糸掛け、前記針掛け、前記支持体、前記糸ガード、及び前記糸案内、又は請求項３に記載の釣針外し具において、前記糸掛け、前記針掛け、前記支持体、前記糸ガード、前記糸案内、及び前記糸止め、のうち少なくともいずれか一つが着脱可能に、もしくは長さ、位置、及び方向のうち少なくともいずれか一つが調整可能に設けられていることを特徴とする釣針外し具。
【請求項５】
前記着脱可能な前記糸掛け、前記針掛け、前記糸案内、前記支持体、前記糸ガード、前記糸止め、の少なくともいずれか一つが把手内に設けられた空洞に収納可能であることを特徴とする請求項４記載の釣針外し具。
【発明の詳細な説明】
【技術分野】
【０００１】
本発明は、魚体を把持することなく魚に掛かった釣針を外すことができる釣針外し具に関するものである。
【背景技術】
【０００２】
魚に触れることなく魚の口に掛った釣針を外すことができる従来の釣針外し具には、例えば、特許文献１にあるように、操作部は釣針を掛ける針掛けと釣糸を掛ける糸掛けを備えており、針掛けに釣針を掛止し、釣糸を糸掛けに掛けて釣糸の方向を反転させ、さらに、糸案内へ掛けて釣針外し具を回転させることにより釣針の針先を下に向け、魚の自重を利用して容易に釣針を外すことができる回転式釣針外し具がある。
【先行技術文献】
【特許文献】
【０００３】
【特許文献１】特許  第５０５４２１２号
【発明の概要】
【発明が解決しようとする課題】
【０００４】
以上に述べた従来技術の釣針外し具である特許文献１の釣針外し具を使って、釣糸を針掛けに掛けようとしたり、釣糸を糸掛けに掛けようとしたときに、魚が激しく暴れ方々へ跳ね回ったり、風が吹いたり、船が揺れたりすると、釣針や釣糸が釣針外し具の突出した部分に絡まったり、隙間に挟まったり、操作しにくいことがあった。
さらに、口の硬い魚や大型の魚の口に掛った釣針を外す場合は、強い力が釣針外し具に加わり、釣針外し具が変形することがあった。
また、この釣針外し具の製造過程において、数種類の部品を組み上げなければならず、工数が多くかかっていた。
【０００５】
本発明の目的は、上記従来技術の釣針外し具の課題を解決するために為されたもので、糸絡みを軽減し、さらに、操作部の強度を増強させると共に、製造コストを低減させることが可能な釣針外し具を提供することである。
【課題を解決するための手段】
【０００６】
上記目的を達成するために、本発明にかかる一つの態様によれば、棒状の把手を備え、この把手の長軸方向と角度をもって支持体を突出して設け、この支持体の先端側には釣針および釣糸を掛けることが可能な凹部を有する糸掛けを設け、かつ、この糸掛けの凹部の開放側は、支持体の先端方向を向いており、さらに、把手に釣針及び釣糸を掛けることが可能な凹部を有する針掛けを設け、かつ、この針掛けの凹部の開放側は、糸掛けの凹部の開放側方向と反対側方向を向いて設けられているものであって、さらに、糸掛けの凹部の端部と、針掛けの凹部の端部と、を連結する糸ガードを設けていることを特徴とする釣針外し具を提供する。
【発明の効果】
【０００７】
以上説明してきたように、本発明の釣針外し具にあっては、糸ガードの新設により、釣糸が糸掛けや針掛けの裏側に入り込むことを防止するため、糸絡みが軽減され、また、針掛けと糸掛けが片支持であったものから、糸ガードにより両支持となるため強度が増加し、さらに、操作部も１点支持であったものから２点支持となり、より強固な構造にすることが可能となり、かつ、糸ガードによって針掛けと糸掛けが繋がることで、連続する１本の線材を折り曲げるだけで製造可能となり、製造工数を低減することが可能となる。
【図面の簡単な説明】
【０００８】
【図１】本発明の実施の形態に係る釣針外し具の斜視図である。
【図２】本発明の実施の形態に係る釣針外し具の使用方法を説明する斜視図である。
【図３】本発明の実施の形態に係る釣針外し具の使用方法を説明する斜視図である。
【図４】本発明の実施の形態に係る釣針外し具の使用方法を説明する斜視図である。
【図５】本発明の実施の形態に係る釣針外し具の製作例を説明する図である。
【図６】従来技術の釣針外し具である特許文献１の釣針外し具の斜視図である。
【発明を実施するための形態】
【０００９】
以下、本発明の実施の形態を図面に基づいて説明する。
図１は、本発明の実施の形態に係る釣針外し具の実施例を示す斜視図であり、図２〜図４は、本実施の形態に係る釣針外し具の使用方法を説明する斜視図であり、図５（イ）は、本発明の実施の形態に係る釣針外し具の他の例を示す斜視図であり、図５（ロ）は、本発明の実施の形態に係る釣針外し具の分解斜視図であり、図６は従来技術の釣針外し具である特許文献１の釣針外し具の斜視図である。
【００１０】
図１に示すように、本実施の形態の釣針外し具の構成は、把手４と、糸止め７と、からなる把手部と、糸掛け１と、針掛け２と、糸案内３と、糸ガード５と、支持体６と、からなる操作部で構成されている。
【００１１】
続いて、本実施の形態の釣針外し具の部材について説明する。まず、把手４の材料は、木材や合成樹脂、アルミニウムパイプなどの軽量で加工し易い素材を用いており、操作部の材料は、例えばステンレス鋼あるいはチタン線材を用い、糸掛け１と、針掛け２と、糸案内３と、糸ガード５と、支持体６と、は直径２．６ｍｍ程度の線材を用い、糸止め７は、厚さ１ｍｍ程度のステンレス鋼あるいはチタン板材等を用いている。
【００１２】
引き続き、本実施の形態の釣針外し具の各部の形状および取り付けについて説明する。図１に示す釣針外し具の把手４は、厚さ１５ｍｍ、幅２０ｍｍ、長さ２８０ｍｍ程度の角材、または、直径２５ｍｍ程度で、長さが２８０ｍｍ程度の丸棒状に成形されており、その先端側には、支持体６が把手４の長軸方向に対し約３０度〜約１５０度の範囲で、長さ８０ｍｍ程度突出して設けられている。
【００１３】
さらに、支持体６の先端側６ａには、釣針Ｔおよび釣糸Ｌを掛けることが可能な凹部を有する糸掛け１が設けられ、糸掛け１の凹部１ｃの曲げ半径は、２ｍｍ程度であり、２０ｍｍ程度の深さを有し、１５ｍｍ程度の開口幅に成形され、凹部１ｃの開放側は、支持体６の先端６ａの方向を向き、支持体６の先端６ａに設けられている。このとき、釣針Ｔから延びる釣糸Ｌを糸掛け１の凹部１ｃに掛け易くするために、糸掛け１の、端部１ａと、１ｂとを結ぶ直線が、把手４の長軸と直角になるように取り付けることが好ましい。
【００１４】
さらに、糸掛け１のもう一方の端１ｂには、長さ１００ｍｍ程度の直線状の糸ガード５が設けられ、さらに、糸ガード５の他端５ｂには、釣針Ｔおよび釣糸Ｌを掛けることが可能な凹部を有する針掛け２が設けられ、針掛け２の凹部２ｃの曲げ半径は２ｍｍ程度であり、２０〜２５ｍｍ程度の深さを有し、１５ｍｍ程度の開口幅に形成され、凹部２ｃの開放側は、糸掛け1の凹部１ｃの開放側方向と逆方向を向いており、針掛け２の他端２ａは、把手４の先端側に取り付けられている。
【００１５】
また、糸案内３の凹部３ａは、開口幅が１５ｍｍ程度で、１０ｍｍ程度の深さを有し、凹部３ａの開放側は、糸掛けの凹部１ｃの開放側方向と逆方向を向いて把手４の先端側に設けられている。また、糸止め７は、長さが３０ｍｍ程度で、幅が２３ｍｍ程度であり、１枚の板を半分に折り曲げて重ね合わせ、折り曲げられた側とは反対側の先端から５ｍｍ程度の位置で２枚を押し開くように曲げ、釣糸Ｌを食い込ませることが可能なクサビ形の溝７ａを形成し、溝７ａの開放側が、針掛け２の凹部開放側方向を向いて、把手４の先端側に設けられている。
【００１６】
以下、図２〜図４に基づいて本実施の形態の釣針外し具の使用方法について説明する。図２（イ）に示すように、一方の手Ｈ２で釣糸Ｌを把持し、釣上げた魚Ｆを吊下げてイケスやビク、クーラーボックス、バケツなどの収容容器Ｂの投入口Ｂａ内に入れ、他方の手Ｈ１で釣針外し具の把手４を握って支持体６及び把手４がほぼ水平になるように構え、釣糸Ｌに針掛け２の凹部２ｃを掛ける。
この時、魚が暴れたり、手元が狂って釣糸Ｌに針掛け２を掛け損ねても、糸ガード５を設けているため、釣糸Ｌが針掛け２や糸掛け１の裏側に回り込むことがなく、糸絡みが起こりにくい。
【００１７】
次に、図２（ロ）に示すように、釣糸Ｌを矢印方向へ引き、針掛け２の凹部２ｃに釣針Ｔを掛止する。
続いて、図３（イ）に示すように、釣針Ｔが針掛け２から外れないように釣糸Ｌを水平に引き釣糸Ｌのテンションを保持しつつ、釣糸Ｌを糸掛け１の凹部１ｃへ掛ける。
【００１８】
さらに、図３（ロ）に示すように、釣針Ｔが針掛け２から外れないように釣糸Ｌを水平に引き釣糸Ｌのテンションを保持しつつ、釣糸Ｌを糸案内３の凹部３ａへ掛ける。
次に、図４（イ）に示すように、把手４の長軸を回転軸として釣針外し具を左回転させ、支持体６の先端６ａが下方へ向くようにすると共に、操作部と魚Ｆを投入口内へ挿入する。このとき釣針Ｔから延びている釣糸Ｌの方向が真下方向へ向き、それに伴い釣針Ｔの針先も下方へ向く状態が形成され、イワシやアジなどの口の柔らかい魚や針掛かりが浅い魚は、釣針Ｔから外れて落下するが、釣糸Ｌを引く手Ｈ２と把手４を握る手Ｈ１とは、魚Ｆより上方に位置し、魚Ｆが落下しても双方の手に魚が触れることはない。
【００１９】
しかし、釣針Ｔにはカエシが設けられており、口の硬い魚Ｆは、外れ難いため、図４（ロ）に示すように、釣糸Ｌを引く手Ｈ２を、釣針外し具を持つ手Ｈ１の横に添えて、釣針外し具を勢いよく上下に振って魚Ｆを振り落とす。
この時、糸掛け１から折り返す釣糸Ｌに充分テンションを掛けたまま、釣糸Ｌを糸止め７の溝７ａに食い込ませれば、釣糸Ｌが緩むことを防止できる。
もし、釣糸Ｌのテンションが緩むと針掛け２に掛けた釣針Ｔは、魚Ｆの自重により回転し、針先が上方へ向くため魚Ｆを外せなくなるので釣糸Ｌのテンション維持は重要である。さらに、糸掛け１から延びる釣糸Ｌは、支持体６に沿っており、釣糸Ｌが収容容器Ｂに接触することなく、収容容器Ｂ内まで操作部を挿入して上下に振れるため、魚Ｆが暴れた場合でも横へ飛び出すことを防止できる。
【００２０】
以上のように、本発明の実施の形態を説明してきたが、本発明の具体的構成は本実施の形態に限定されるものではなく、発明の要旨を逸脱しない範囲の設計変更などがあっても本発明に含まれる。さらに、本実施の形態の釣針外し具を構成する部材の素材、厚み、直径、長さ、間隔、取り付け位置、取り付け角度及び数量などについては適宜設定することができる。例えば、素材としては、鉄、鋼、ステンレス、チタン、チタン合金、アルミニウム、アルミニウム合金、銅、銅合金、等の金属や、木、竹、セラミック、合成樹脂、カーボン、ガラスなど使用する場所に求められる特性に応じ適宜の材料を使用することができる。
【００２１】
また、支持体６および糸案内３の取り付け方向は、把手４の長軸方向に対して直角が好ましいが、必ずしも直角に限定するものではなく傾斜していてもよい。また、糸案内３の凹部３ａの開放側は、必ずしも糸掛け１の凹部の開放側方向の逆を向いている必要はなく、釣糸Ｌが糸案内３から外れなければどの方向を向いていてもよい。また、針掛け２は、把手４のどの位置にあってもよく、さらに取り付け方向がどの方向を向いていてもよい。また、支持体６と糸ガード５の形状も必ずしも直線状に限定するものではなく他の形状でもよく、さらに、糸掛け１と、針掛け２と、糸案内３の形状は釣糸Ｌや釣針Ｔを掛けることができ、振っても外れ難い形状であればどのような形状でもよく、例えば単なる棒状の突起でもよい。また、糸止め７は折り曲げた形以外に、２枚の板を重ね合わせた形でもよい。
【００２２】
さらに、構造としては、どのような使用方法にも、また右利きや左利きにも対応可能とするため、糸掛け１と、針掛け２と、糸案内３と、支持体６と、糸止め７とは、形状や取り付け位置及び角度を変更し、また増設することも可能であり、把手４の長さは、口が柔らかく外れやすい魚用の場合は、操作性、携行性を高めるために短くし、口の硬い魚用には、強く振ることができるよう長めにし、長さを自由に設定できるような伸縮型や連結型にしてもよい。さらに、把手４の形状は、角棒や丸棒に限らず持ちやすい形状に成形してもよく、また、滑り止めとしてゴムやウレタン素材で被覆してもよい。また、糸案内３を省略し、糸止め７が糸案内３を兼ねるようにしてもよい。
【００２３】
また、図５（イ）に示すように、部材は、線材ではなく、板材をプレス機などで外形を型抜きして板状の操作部を量産することも可能であり、さらに、針掛け２に掛止した針Ｔ掛った魚Ｆが、自由に回転できるように、針掛け２の凹部付近の板材に穴を開け、釣糸Ｌや釣針Ｔを傷つけないように、操作部の面取りや研磨を施したものでもよい。また、合成樹脂による一体成型でもよい。また、楽しい釣針外し具にするために、例えば操作部を動物の形状に成形したものや、キャラクターなどをあしらったものや、本釣針外し具を振ると動物の鳴き声や楽しい音などが出るようにしてもよい。また、本釣針外し具に着色してカラフルにしたり、操作部にメッキを施して防錆性・装飾性を加えたりすることも可能である。また、釣れた魚の数量をカウントできるカウンターなどを備えてもよい。
【００２４】
また、図５（ロ）は操作部と把手部を分解した図であり、本釣針外し具は、ネジや釘、接着剤、溶接、半田、ろう付け等を使用せずに、連続する１本の線材を折り曲げるだけで操作部を形成するとともに、操作部と把手４の取り付も線材を折り曲げるだけで取付が可能であり、製造コストの低減や強度増強が図れる。
【００２５】
また、使用方法は、前記の使用方法に限らず適宜使用方法を変更してもよい。例えば、釣針外し具に釣糸Ｌを掛ける手順は、船のイケスなど投入口が広い場合は、糸掛け１と針掛け２を逆にして使うことも可能である。
【００２６】
これまでの実施の形態の釣針外し具は、一体構造として説明したが、この他の例の釣針外し具は、一体構造ではなく各部材に分解でき、ネジやクランプ等を用いて取り付け位置や長さ、角度、方向を自由に可変設定できるような構造や、各部材は、形状や大きさ、長さの違う部品を用意しておき目的や使用状況に合わせて交換でき、さらに把手４には空洞が設けられており、この空洞内に分解した部品を収納することが可能な組立て式釣針外し具である。
【産業上の利用可能性】
【００２７】
本発明の釣針外し具は、釣針外し具の製造・販売・使用を含む漁業、レジャーの産業分野において広く利用することができる。
【符号の説明】
【００２８】
１    糸掛け
１ａ  糸掛けの支持体との取付け部
１ｂ  糸掛けの糸ガードとの取付け部
１ｃ  糸掛けの凹部
２    針掛け
２ａ  針掛けの把手との取付け部
２ｂ  針掛けの糸ガードとの取付け部
２ｃ  針掛けの凹部
３    糸案内
３ａ  糸案内の凹部  
４    把手
５    糸ガード
５ｂ  糸ガードの針掛けとの連結部
６    支持体
６ａ  支持体の先端
７    糸止め
７ａ  糸止めの溝
８    針掛け固定杭
９    針掛け回り止め
１０  釣針外し穴
Ａ１  針掛け取付穴
Ａ２  針掛け回り止め穴
Ａ３  糸案内取付穴
Ｂ    収容容器
Ｆ    魚
Ｈ１、Ｈ２  手
Ｌ    釣糸
Ｔ    釣針
【図１】
2014117250.tif 000003
【図２】
2014117250.tif 000004
【図３】
2014117250.tif 000005
【図４】
2014117250.tif 000006
【図５】
2014117250.tif 000007
【図６】
2014117250.tif 000008